(57)【要約】【課題】エアフィルターに付着した塵埃を自動で確実に吸引清掃することができる空気調和機のフィルター装置を提供する。【解決手段】熱交換器（図示せず）を通過する空気の塵埃を除去するエアフィルター２に沿って駆動可能でかつエアフィルター２上の塵埃を吸引するための吸引孔８を有する吸引ノズル３と、吸引ノズル３に連結された吸引装置６と、吸引ノズル３を収納する収納部１２と、吸引ノズル３の吸引孔８の近傍に配されエアフィルター２上の塵埃を掻き落とす塵埃除去部９と、収納部１２で塵埃除去部９に当接する塵埃除去部清掃部（ブラシ形状（凸部））１１を設けたもので、塵埃除去部９が掻き落した塵埃がコヨリ状になり、吸引孔８からはみ出して吸引できなくても、塵埃除去部清掃部（ブラシ形状（凸部））１１と塵埃除去部９が当接することにより、塵埃を確実に吸引清掃することができる。【選択図】図１
2010261612.tif 000002
【特許請求の範囲】
【請求項１】
熱交換器を通過する空気の塵埃を除去するエアフィルターを設けたフィルター枠と、前記エアフィルターに沿って駆動可能でかつ前記エアフィルター上の塵埃を吸引するための吸引孔を有する吸引ノズルと、前記吸引ノズルに連結された吸引装置と、前記吸引ノズルを収納する収納部と、前記吸引ノズルの前記吸引孔の近傍に配され前記エアフィルター上の塵埃を掻き落とす塵埃除去部と、前記収納部で前記塵埃除去部に当接する塵埃除去部清掃部（ブラシ形状（凸部））を設けたことを特徴とする空気調和機のフィルター装置。
【請求項２】
塵埃除去部清掃部（ブラシ形状（凸部））を円錐状としたことを特徴とする請求項１に記載の空気調和機のフィルター装置。
【請求項３】
円錐状の塵埃除去部清掃部（ブラシ形状（凸部））を複数設けたことを特徴とする請求項２に記載の空気調和機のフィルター装置。
【請求項４】
請求項１〜３のいずれか１項に記載の空気調和機のフィルター装置を備えた空気調和機。
【発明の詳細な説明】
【技術分野】
【０００１】
本発明は、エアフィルターノ清掃を自動的に行う空気調和機のフィルター装置およびそれを具備した空気調和機に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。このように構成された空気調和機のフィルター装置は、頻繁なメンテナンスが必要となるだけでなく、メンテナンスが行われるまでの間には、エアフィルターが徐々に目詰まりしていき、その結果、熱交換器を通過する風量が低下し、空調能力が低下して消費電力の増大につながることとなる。
【０００３】
そこで、エアフィルターのメンテナンスの手間を低減する目的で、エアフィルターに付着した塵埃をブラシにて定期的に清掃する空気調和機のフィルター装置が提案されている（例えば、特許文献１参照）。
【先行技術文献】
【特許文献】
【０００４】
【特許文献１】特開２００７−２９２３９７号公報
【発明の概要】
【発明が解決しようとする課題】
【０００５】
しかしながら、上記特許文献１に記載された従来の空気調和機のフィルター装置の構成では、ブラシとエアフィルターがお互いにこすられるため、塵埃がコヨリ状になり吸引ノズルが左右駆動する程、塵埃が長く太くなり、この長く太くなったコヨリ状の塵埃を、リブ状の塵埃除去部清掃部で短く切り吸引ノズルにて吸引するようにしているが、このコヨリ状の塵埃が吸引ノズルの移動方向に対して水平になったときに吸引できなくなるなどの課題があった。
【０００６】
本発明は、上記従来の課題を解決するもので、エアフィルターに付着した塵埃を自動で確実に吸引清掃することができる空気調和機のフィルター装置及び空気調和機を提供することを目的とする。
【課題を解決するための手段】
【０００７】
前記従来の課題を解決するために本発明の空気調和機のフィルター装置は、熱交換器を通過する空気の塵埃を除去するエアフィルターを設けたフィルター枠と、前記エアフィルターに沿って駆動可能でかつ前記エアフィルター上の塵埃を吸引するための吸引孔を有する吸引ノズルと、前記吸引ノズルに連結された吸引装置と、前記吸引ノズルを収納する収納部と、前記吸引ノズルの前記吸引孔の近傍に配され前記エアフィルター上の塵埃を掻き落とす塵埃除去部と、前記収納部で前記塵埃除去部に当接する塵埃除去部清掃部（ブラシ形状（凸部））を設けたもので、前記塵埃除去部が掻き落した塵埃がコヨリ状になり、前記吸引孔からはみ出して吸引できなくても、前記塵埃除去部清掃部（ブラシ形状（凸部））と前記塵埃除去部が当接することによりコヨリ状に長く太くなった塵埃、また短く切られた塵埃、前記吸引孔からはみ出した塵埃を前記吸引ノズルで確実に吸引清掃することが可能となるため高性能なフィルター装置を提供することができ、エアフィルターに付着した塵埃を確実に吸引清掃することが可能となる。
【０００８】
又、本発明の空気調和機は、請求項１〜３のいずれか１項に記載の空気調和機のフィルター装置を備えたもので、高性能な空気調和機のフィルター装置を用いることで、エアフ
ィルターの清掃が確実に行われると共に、清掃時にエアフィルター面への一旦除去した塵埃の再付着などが無く、空調性能の良い空気調和機を提供できる。
【発明の効果】
【０００９】
本発明の空気調和機のフィルター装置及び空気調和機は、吸引ノズルが駆動時にコヨリ状の長く太くなった塵埃が吸引孔よりずれ、吸引できなくても収納部に塵埃除去部清掃部（ブラシ形状（凸部））を設けることで、確実に吸引清掃することが可能となるため、エアフィルターに付着した塵埃を自動で確実に吸引清掃することができ、高性能な空気調和機のフィルター装置ならびに空気調和機を提供することができる。
【図面の簡単な説明】
【００１０】
【図１】本発明の実施の形態１における空気調和機のフィルター装置の構成例を示す斜視図
【図２】（ａ）同空気調和機のフィルター装置の吸引ノズルの斜視図、（ｂ）同吸引ノズルの断面図
【図３】本発明の実施の形態２における空気調和機のフィルター装置の構成例を示す斜視図
【図４】本発明の実施の形態３における空気調和機のフィルター装置の要部拡大断面図
【発明を実施するための形態】
【００１１】
第１の発明は、熱交換器を通過する空気の塵埃を除去するエアフィルターを設けたフィルター枠と、前記エアフィルターに沿って駆動可能でかつ前記エアフィルター上の塵埃を吸引するための吸引孔を有する吸引ノズルと、前記吸引ノズルに連結された吸引装置と、前記吸引ノズルを収納する収納部と、前記吸引ノズルの前記吸引孔の近傍に配され前記エアフィルター上の塵埃を掻き落とす塵埃除去部と、前記収納部で前記塵埃除去部に当接する塵埃除去部清掃部（ブラシ形状（凸部））を設けたもので、前記塵埃除去部が掻き落した塵埃がコヨリ状になり、前記吸引孔からはみ出して吸引できなくても、前記塵埃除去部清掃部（ブラシ形状（凸部））と前記塵埃除去部が当接することによりコヨリ状に長く太くなった塵埃、また短く切られた塵埃、前記吸引孔からはみ出した塵埃を前記吸引ノズルで確実に吸引清掃することが可能となるため高性能なフィルター装置を提供することができ、エアフィルターに付着した塵埃を確実に吸引清掃することが可能となる。
【００１２】
第２の発明は、特に、第１の発明の塵埃除去部清掃部（ブラシ形状（凸部））を円錐状としたもので、前記塵埃除去部が掻き落した塵埃がコヨリ状になり、前記塵埃除去部清掃部（ブラシ形状（凸部））と前記塵埃除去部が当接することによりコヨリ状に長く太くなった塵埃、また短く切られた塵埃、吸引孔からはみ出した塵埃を吸引ノズルで確実に吸引清掃することが可能となるため高性能なフィルター装置を提供することができ、エアフィルターに付着した塵埃を確実に吸引清掃することが可能となる。
【００１３】
第３の発明は、特に、第２の発明の円錐状の塵埃除去部清掃部（ブラシ形状（凸部））を複数設けたもので、前記塵埃除去部が掻き落した塵埃がコヨリ状に長く太くなっても、前記塵埃除去部清掃部（ブラシ形状（凸部））と前記塵埃除去部が当接することによりコヨリ状に長く太くなった塵埃、また短く切られた塵埃、吸引孔からはみ出した塵埃を吸引ノズルで確実に吸引清掃することが可能となるため高性能な空気調和機のフィルター装置を提供することができ、エアフィルターに付着した塵埃を確実に吸引清掃することが可能となる。
【００１４】
第４の発明における空気調和機は、請求項１〜３のいずれか１項に記載の空気調和機のフィルター装置を備えたもので、高性能な空気調和機のフィルター装置を用いることで、エアフィルターの清掃が確実に行われると共に、清掃時にエアフィルター面への一旦除去した塵埃の再付着などが無く、空調性能の良い空気調和機を提供できる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機のフィルター装置の構成例を示す斜視図、図２は、同空気調和機のフィルター装置の吸引ノズルの斜視図及び断面図である。
図１、２において、本実施の形態における空気調和機のフィルター装置は、空気調和機内の熱交換器（図示せず）を通過する空気の塵埃を除去するエアフィルター２と、エアフィルター２の表面に沿って移動可能な吸引ノズル３と、吸引ノズル３と連通する吸引装置６を備えている。
【００１７】
エアフィルター２は、フィルターワク１に支持固定されている。吸引ノズル３はフィルターワク１の上下端に設置されたガイドレール４により、エアフィルター２と極めて狭い間隙を保って円滑に左右に移動することができるようになっている。
【００１８】
エアフィルター２上に付着した塵埃は、この吸引ノズル３より吸引される。さらに、吸引ノズル３には、吸引ダクト５が連結され、さらに吸引ダクト５は吸引装置６に連結されている。吸引ダクト５は、吸引ノズル３の移動に差し支えないように折り曲げ可能なダクトで形成されている。
【００１９】
また、図２に示すように、吸引ノズル３にはフィルム７が設けられ、一方、フィルム７には吸引孔８があり、吸引孔８の近傍には塵埃除去部９が設けられており、ステッピングモーター１０によって、フィルム７は、上下方向のいずれにも自在に駆動できるようになっている。
【００２０】
また、フィルターワク１の一端には、吸引ノズル３を収納する収納部１２が設けられており、その収納部１２に、塵埃除去部９に当接する塵埃除去部清掃部１１（ブラシ形状（凸部））が設けられてある。
【００２１】
本実施の形態における空気調和機のフィルター装置の動作、作用は以下の通りである。
【００２２】
吸引装置６を運転しながら、吸引ノズル３をエアフィルター２上で左右に移動させるとエアフィルター２の表面に付着した塵埃は、塵埃除去部９で除去され、その除去された塵埃は吸引ノズル３の吸引孔８から吸引され、吸引ダクト５を通って吸引装置６に至る。
【００２３】
このとき、塵埃除去部９が掻き落した塵埃がコヨリ状に長く太くなっても、吸入ノズル３を収納部１２まで移動させ、そこでフィルム７を上下方向に駆動することで、塵埃除去部清掃部１１（ブラシ形状（凸部））と塵埃除去部９が当接することにより、コヨリ状に長く太くなった塵埃、また短く切られた塵埃、吸引孔８からはみ出した塵埃を吸引ノズル３で確実に吸引清掃することができる。
【００２４】
（実施の形態２）
図３は、本発明の実施の形態２における空気調和機のフィルター装置の構成例を示す斜視図である。尚上記実施の形態１における空気調和機のフィルター装置と同一部分には同
一符号を付して、その説明を省略する。
【００２５】
本実施の形態における空気調和機のフィルター装置は、図３に示すように、塵埃除去部９に当接する塵埃除去部清掃部１１（ブラシ形状（凸部））の形状を円錐状にしたもので、他の構成は、上記実施の形態１における空気調和機のフィルター装置と同じである。
【００２６】
以上のように、本実施の形態では、塵埃除去部９に当接する塵埃除去部清掃部１１（ブラシ形状（凸部））を円錐状にすることにより、塵埃除去部９が掻き落した塵埃がコヨリ状に長く太くなっても、吸入ノズル３を収納部１２まで移動させた後、フィルム７を上下方向に駆動することで、塵埃除去部清掃部１１（ブラシ形状（凸部））と塵埃除去部９が当接し、コヨリ状に長く太くなった塵埃、また短く切られた塵埃、吸引孔８からはみ出した塵埃を吸引ノズル３で確実に吸引清掃することが可能となるため、エアフィルター２に
付着した塵埃を確実に吸引清掃することが可能な、高性能なフィルター装置を提供することができる。
【００２７】
（実施の形態３）
図４は、本発明の実施の形態３における空気調和機のフィルター装置の要部拡大断面図（図３のＡ−Ａ断面）である。尚上記実施の形態における空気調和機のフィルター装置と同一部分には同一符号を付して、その説明を省略する。
【００２８】
本実施の形態における空気調和機のフィルター装置は、図４に示すように、塵埃除去部９に当接する円錐状の塵埃除去部清掃部１１（ブラシ形状（凸部））を複数設けたもので、塵埃除去部９が掻き落した塵埃がコヨリ状に長く太くなっても、吸入ノズル３を収納部１２まで移動させた後、フィルム７を上下方向に駆動することで、塵埃除去部清掃部１１（ブラシ形状（凸部））と塵埃除去部９が当接することによりコヨリ状に長く太くなった塵埃、また短く切られた塵埃、吸引孔８からはみ出した塵埃を吸引ノズル３で確実に吸引清掃することが可能となるため高性能なフィルター装置を提供することができ、エアフィルター２に付着した塵埃を確実に吸引清掃することが可能となる。
【００２９】
又、上記実施の形態に述べた空気調和機のフィルター装置を、空気調和機に用いるようにすれば、エアフィルターの清掃が確実に行われると共に、清掃時にエアフィルター面への一旦除去した塵埃の再付着などが無く、空調性能の良い空気調和機を提供できる。
【産業上の利用可能性】
【００３０】
以上のように本発明にかかる空気調和機のフィルター装置および空気調和機はエアフィルターに付着した塵埃を自動で確実に吸引清掃することができるので、空気調和機にとどまらず、空気清浄機等のフィルターを有する製品へも適用することができる。
【符号の説明】
【００３１】
１  フィルターワク
２  エアフィルター
３  吸引ノズル
４  ガイドレール
５  吸引ダクト
６  吸引装置
７  フィルム
８  吸引孔
９  塵埃除去部
１０  ステッピングモーター
１１  塵埃除去部清掃部
１２  収納部
【図１】
2010261612.tif 000003
【図２】
2010261612.tif 000004
【図３】
2010261612.tif 000005
【図４】
2010261612.tif 000006